Podtech/llm-jp-corpus-v4-ja_patent huggingface dataset:
(57)【要約】      （修正有）【課題】和服本来の着付けが不要で、誰でも簡単に着用する事が出来る和服を提供する。【解決手段】身頃裏ウェスト部分両側に平ゴムＣを入れ、前記平ゴムＣの端部を外部に突出させると共に、前記平ゴムＣの端部に面ファスナーＥを備え、表前身頃に前記面ファスナーＥと係合可能な別の面ファスナーを備えたことを特徴とする。【選択図】図１
0003181146.tif 000002
【実用新案登録請求の範囲】
【請求項１】
身頃裏ウェスト部分両側に平ゴムを入れ、両側に持出し、面テープを付ける事により、自然に脇布の調整も出来、背中心も自然に中央に位置出来る。右、左両前を面テープにて固定される為に腰ひもは不用で誰もが着用しやすくなる。
【考案の詳細な説明】
【技術分野】
【０００１】服飾
【背景技術】
【０００２】福祉介護服
【考案の概要】
【考案が解決しようとする課題】
【０００３】障害者、高齢者及び若い人が他人の手助け無く一人で着用出来、着くずれしない。
【課題を解決するための手段】
【０００４】着用する人の着丈に合わせ、おはしょりを作り上げ、身頃内側に平ゴムと面ファスナーの組合せで前身頃を合わせる。
【考案の効果】
【０００５】和服全般一人で簡単に着用する事が出来る。
【図面の簡単な説明】
【０００６】
【図１】身頃裏にゴム当て布を作り、その中にウェスト寸法に合わせた平ゴムを通し、その先に持出しを付け、持出しの内側に面ファスナーを付ける。左脇布は縫い、右脇はゴムの通る寸法を開ける。
【図２】着丈に合わせおはしょり後、左、右前身に面ファスナーを付ける。
【考案を実施するための形態】
【０００７】着用する人の着丈に合わせおはしょり後、ウェストの位置に平ゴムと面テープで前打合せを留める。
【産業上の利用可能性】
【０００８】障害者及び高齢で手に力の衰えた人や自分で着付けの出来ない若い人も一人で着用出来、又、着くずれしない為、着用しやすくなります。
さらに、ブラジルやラオス等外国でも日本の盆踊りが盛んとなり、浴衣を着用する方が増え、日本伝統の和服の形態をくずす事なく発信できると思います。
【符号の説明】▲Ａ▼・・・後中心
▲Ｂ▼・・・ゴム用当て布
▲Ｃ▼・・・伸縮性平ゴム
▲Ｄ▼・・・持出し布
▲Ｅ▼・・・身頃に固定する為の面テープ
▲Ｆ▼・・・表前身頃に面テープ
▲Ｇ▼・・・右身頃のみ身やつ口にゴムを通す為の口
【図１】
0003181146.tif 000003
【図２】
0003181146.tif 000004
【手続補正書】
【提出日】平成24年9月20日(2012.9.20)
【手続補正１】
【補正対象書類名】明細書
【補正対象項目名】０００６
【補正方法】変更
【補正の内容】
【０００６】
【図１】見頃裏にゴム当て布を作り、その中にウェスト寸法に合わせた平ゴムを通し、その先に持出し布を付け、持出しの裏側に面ファスナーを付ける。左脇は身ハシロより下は縫い、右脇は身ハシロより下の脇縫いをゴム通り口寸法を開ける。左ゴム先は持出し布、右ゴム先にはだて帯前後一緒に付け、前面に来るだて帯のゴムの側面に面ファスナーを付ける。前側だて帯は短く、後にまわるだて帯は長くし、左前で結ぶ。着丈調整用に身頃表側に凸スナップテープ、身頃裏側に凹スナップテープを２〜３段付ける。
【図２】着丈に合わせおはしょり後、左、右前身に面ファスナーを付ける。
【手続補正２】
【補正対象書類名】図面
【補正対象項目名】全図
【補正方法】変更
【補正の内容】
【図１】
0003181146.tif 000005
【図２】
0003181146.tif 000006
【手続補正３】
【補正対象書類名】明細書
【補正対象項目名】０００８
【補正方法】変更
【補正の内容】
【０００８】
【符号の説明】
▲Ａ▼・・・後中心
▲Ｂ▼・・・ゴム用当て布
▲Ｃ▼・・・伸縮性平ゴム
▲Ｄ▼・・・持出し布
▲Ｅ▼・・・身頃に固定する為の面テープ
▲Ｆ▼・・・前面だて帯
▲Ｇ▼・・・後面まわるだて帯
▲Ｈ▼・・・表前身頃に面テープ
0003181146.tif 000007
▲Ｊ▼・・・見頃表にスナップ凸テープ、見頃裏側にスナップ凹テープを付ける。
【手続補正書】
【提出日】平成24年11月2日(2012.11.2)
【手続補正１】
【補正対象書類名】実用新案登録請求の範囲
【補正対象項目名】全文
【補正方法】変更
【補正の内容】
【実用新案登録請求の範囲】
【請求項１】
身頃裏ウェスト部分両側に平ゴムを入れ、前記平ゴムの端部を外部に突出させると共に、前記平ゴムの端部に面ファスナーを備え、表前身頃に前記面ファスナーと係合可能な別の面ファスナーを備えたことを特徴とする和服。
(57)【要約】      （修正有）【課題】停車中の自動車のブレーキランプの点灯による、無駄なエネルギーの消費を制御し、蓄電池を保護した自動車のブレーキランプの作動時間制御装置を提供する。【解決手段】ブレーキペダルからブレーキランプへの電気供給用電線の中間にタイマーリレーを設置し、当該タイマーリレー３をブレーキ油圧センサーユニット１と車軸回転数センサーユニット２からの信号により制御し、停車中のブレーキランプへの電気供給を遮断する。この装置によるエネルギー消費の低減は、電気自動車及びハイブリット自動車の蓄電池の消耗を低減させ、走行距離を増大させることに役立つ。【選択図】図１
0003181149.tif 000002
【実用新案登録請求の範囲】
【請求項１】
ブレーキペダルの踏み込みに連動し、ブレーキ油圧と車軸回転数により制御され、又は車軸回転数により制御され、そしてブレーキペダルを踏み込みんだ状態のブレーキ油圧で、且つ車軸回転数”０”の状態が、又は、車軸回転数”０”の状態がタイマーリレーの設定時間に到達すると、ブレーキランプが自動で消灯する。また、ブレーキペダルの開放によりブレーキ油圧が開放され事により、電気回路が初期状態へ復帰する装置。
【考案の詳細な説明】
【技術分野】
【０００１】  本考案は、自動車のブレーキランプの作動時間を制御し、エネルギーの無駄な消費を制御する装置である。
【背景技術】
【０００２】  従来の自動車のブレーキランプは、ブレーキペダルの踏み込みによって、点滅を制御していた。信号停止や渋滞時に、ブレーキペダルを踏んでいる間、点灯し続け無駄なエネルギーを消費するという欠点があった。近年において、電気自動車やハイブリッド自動車等の蓄電池の消耗を制御すると言う、命題が発生していた。
【先行技術文献】
【０００３】
【非特許文献１】「マツダ  アイドリングストップ」、マツダ株式会社、２００９年
【０００４】
【非特許文献２】「車速連動ヘッドライトコントロールキッド」、有限会社コムエンタープライズ
【考案の概要】
【考案が解決しようとする課題】
【０００５】  本考案は、以上の様な従来の欠点に鑑み、停車中のブレーキランプを自動消灯し、エネルギーの無駄な消費を低減させる、自動車のブレーキランプ作動時間制御装置を提供することを目的としている。また、電気自動車、ハイブリッド自動車等の航続距離に対する、蓄電池の消耗を低減し、このような次世代型の自動車の蓄電池の蓄電量の消耗軽減と言う命題を解決させる、自動車のブレーキランプ作動時間制御装置を提供することを目的としている。
【課題を解決するための手段】
【０００６】  上記目的を達成するために、本考案は先行技術である、車速連動ヘッドライトコントロールキッド及びアイドリングストップシステムに含まれる、自動車のブレーキ油圧センサーユニット、車軸回転数センサーユニット及びタイマーリレーとで、自動車のブレーキランプ作動時間制御装置を構成している。このブレーキ油圧センサーユニット作動中に、車軸回転数センサーユニットにより、車軸回転停止状態を感知すると、タイマーリレーが連動し、同状態で設定時間経過すると、自動的にブレーキランプを消灯させる。ブレキーキペダルの踏み込みを中止することで、ブレーキ油圧センサーユニットの開放を以って、瞬時にタイマーリレーは復帰を果たし、ブレーキシステム全体は通常の状態に復帰する。上記目的である、省エネルギーを達成するために、本考案と先行技術である、「アイドリングストップ」及び「車速連動ヘッドライトコントロールキッド」を併用すれば、より効果的である。
【考案の効果】
【０００７】  ２０１１年１月２７日作成された、マツダ株式会社の第８回新機械振興賞受賞者業績概要の瞬時起動アイドリングストップシステムの２０ページには、東京都の都心で６０分程度走行すると２０分程度の停止時間があると書かれている。１日６時間走行する商用自動車を想定した場合において、２１ワットのブレーキランプ１対で４２ワットの電力を消費する場合、１日当たり合計１２０分間停止し合計８４ワット／時となり、１年間で約２５キロワット／時のエネルギーの節約となる。三菱自動車の電気自動車「アイミーブ」の電動機の出力が４７キロワットであり、この場合に年間約３２キロメートルを走行距離する為に必要なエネルギーを無駄にしなくて良いことに為る。また、夜間に信号機等により停車している時に、自動車のヘッドライトを先行技術により、自動で消灯することは、蒸発現象の回避につながり時事故防止上の利点があるが、本考案によりブレーキランプの自動消灯により、後続車の運転者が前方の自動車のブレーキランプを見続け、目の疲労による視力低下の低減を得るという利点がある。
【図面の簡単な説明】
【０００８】
【図１】  本考案のフローチャートを示す図面である。
【考案を実施するための形態】
【０００９】  自動車のベレーキペダルの踏み込みにより、ブレーキ油圧センサーユニットが圧力を感知し、入力状態となり、出力リレーより信号を車軸回転数センサーユニットへ送る。車軸回転数センサーユニットは、ブレーキ油圧センサーユニットからの入力信号を受信中に、車軸回転数の“０”信号を感知すると、出力リレーより信号をタイマーリレーへ送る。タイマーリレーは、車軸回転数センサーユニットからの入力信号を連続で受けている状態で、設定時間を経過すると、ブレーキランプへの電気供給を自動で遮断する。
上記３段階の何れの段階でも、ブレーキペダルの踏み込みの中断により、各段階の信号入力が無くなると、瞬時に電気回路は元の状態へ復帰する。
【実施例】
【００１０】  以下、添付図面のフローチャートに従って一実施例を説明する。１はブレーキ油圧の圧力センサー及び電気リレーで構築されたブレーキ油圧センサーユニットである。２は車軸回転数のセンサー及び電気リレーで構築された車軸回転数センサーユニットである。３は信号入力があると始動するＢ接点のタイマーリレーである。前記１のユニットからの信号を前記２のユニットが受信中に、且つ車軸回転数が“０”になった時に、電気リレーにより３のタイマーリレーへ信号を出力する。３は入力があると始動し、タイマーリレーの設定時間に到達すると、Ｂ接点のタイマーリレーの働きにより、ブレーキランプへの電気供給を自動で遮断する。３への信号入力が設定時間に到達する前に無くなると瞬時にタイマーリレーは初期設定に復帰する。
【符号の説明】
【００１１】  １  ブレーキ油圧センサーユニット
２  車軸回転数センサーユニット
３  タイマーリレー
【図１】
0003181149.tif 000003
【手続補正書】
【提出日】平成24年10月31日(2012.10.31)
【手続補正１】
【補正対象書類名】実用新案登録請求の範囲
【補正対象項目名】全文
【補正方法】変更
【補正の内容】
【実用新案登録請求の範囲】
【請求項１】
ブレーキペダルからブレーキランプへの電気供給用電線の中間にタイマーリレーを設置し、当該タイマーリレーをブレーキ油圧センサーユニットと車軸回転数センサーユニットからの信号により制御し、停車中のブレーキランプへの電気供給を遮断する、自動車のブレーキランプの作動時間制御装置。
(57)【要約】      （修正有）【課題】お灸の使用まで時間がかからず、また、突起部が外れることがない台座式お灸の紙板を提供する。【解決手段】２層の紙板の上層部の紙板の端に設けた半月状の穴を設ける。【選択図】図６
0003181148.tif 000002
【実用新案登録請求の範囲】
【請求項１】
お灸を乗せた２層の紙板の上層部の紙板に穴を設けたことを特徴とする台座式お灸の紙板。
【請求項２】
前記上層部の紙板の穴は半月状で紙板の端に設けたことを特徴とする台座式お灸の紙板。
【考案の詳細な説明】
【考案の詳細な説明】
【考案が解決しようとする課題】
【０００１】    従来、紙板の上に並べた台座灸の場合、下から押し上げて１個１個上から引き抜くしか方法がなくお灸の使用まで非常に時間がかかっていた。また、突起部を持って引き抜くために突起部が外れることがあるという問題点を有していた。
【課題を解決するための手段】
【０００２】    上記の問題を解決するために、２層で構成される上層部の紙板の端に半月状の穴を設けた。
【課題を解決するための手段】
【０００３】紙板上にある全ての台座灸を上層部の紙板の端に設けた半月状の穴に親指を合わせ下方向に下層部の紙板全体を押し下げることにより、紙板上の全ての台座灸を一度に外すことができる。
【課題を解決するための手段】
【０００４】下層部の紙板全体を両手で撓ませることにより、紙板上の全ての台座灸が一度に下層部の紙板から離すことができる。
【考案の効果】
【０００５】    紙板上にある全ての台座灸を上層部の紙板の端に設けた半月状の穴に親指を合わせ下方向に下層部の紙板全体を押し下げることにより、紙板上の全ての台座灸を一度に外すことができ、使用までの時間を大幅に短縮することができ、突起部が外れる可能性を無くすことができる。
【図面の簡単な説明】
【０００６】
【図１】台座灸の斜視図である。
【図２】２層式の台座灸の平面図である。
【図３】２層式の台座灸を分解した時の上層部の紙板の平面図である。
【図４】２層式の台座灸を分解した時の下層部の紙板の平面図である。
【図５】２層式の台座灸の上層部の紙板の半月状の穴に親指を入れた時の斜視図である。
【図６】２層式の台座灸の紙板を親指で上層部と下層部に分離した時の斜視図である。
【図７】下層部の紙板を親指で撓ませた時の斜視図である。
【符号の説明】
【０００７】１  半月状の穴
【図１】
0003181148.tif 000003
【図２】
0003181148.tif 000004
【図３】
0003181148.tif 000005
【図４】
0003181148.tif 000006
【図５】
0003181148.tif 000007
【図６】
0003181148.tif 000008
【図７】
0003181148.tif 000009
【手続補正書】
【提出日】平成24年10月26日(2012.10.26)
【手続補正１】
【補正対象書類名】実用新案登録請求の範囲
【補正対象項目名】全文
【補正方法】変更
【補正の内容】
【実用新案登録請求の範囲】
【請求項１】
お灸を乗せた２層の紙板の上層部の紙板の端に半円状の穴を設けたことを特徴とする台座式お灸の紙板。
(57)【要約】      （修正有）【課題】立体的で質感のある花器を表現できる押し花絵画用材を提供する。【解決手段】花器の形の単色または混色の紙に、パステルなどの画材で立体的に見えるように陰影をつけ、その上に紙と同形の半透明紙を、ずれないよう接着剤を付けて重ねる。さらにその上に模様となる押し花４を置き接着剤で固定して作成したものが押し花絵画用材１となる。なお、半透明紙の代わりに和紙を用いても良い。押し花絵画用材１の花器を、押し花絵画の台紙５となるものにおき接着剤で固定し、それらを額縁に装着して押し花絵画作品６となる。台紙５となるものに押し花絵画用材１の花器をおき、その花器に花を生けるように押し花をデザインする描写方法もある。【選択図】図５
0003181147.tif 000002
【実用新案登録請求の範囲】
【請求項１】
単色または混色の紙を花器の形に切り抜き、その紙に花器の立体感を出すための彩色を施し、前記花器の質感を出すために前記の花器と同形の半透明紙または和紙を前記紙に重ねてその上に押し花を付けたことを特徴とする押し花絵画用材。
【請求項２】
請求項１記載の押し花絵画用材を使用して製作した押し花絵画作品。
【考案の詳細な説明】
【技術分野】
【０００１】  本考案は、花器の形の単色または混色の紙にパステルなどの画材で陰影をつけ、同形の半透明紙または和紙を重ね、花器が立体的に見え質感を感じられるよう具象化したものに押し花で模様なるものをつけた押し花絵画製作用の押し花絵画用材である。
【技術背景】
【０００２】  一般的に押し花絵画において花器を描写する場合は台紙となるものに直にパステルで描き模様となる押し花をつけて製作する。またトレーシングペーパーにパステルで色をつけ透明アクリル板を重ねての硝子花瓶風に製作する。
【考案の概要】
【考案が解決しようとする課題】
【０００３】  押し花絵画において、押し花を使用した花器の描写は一般的にパステルで描くだけの平面的で花器の質感を感じる描写には至らない。またトレーシングペーパーとアクリル板で硝子花瓶を模しただけの物になってしまう。そこで花器の多様な質感と立体感がでる方法を考案した。それらの方法は花器以外にも応用できる。
【課題を解決するための手段】
【０００４】  好きな花器の形を紙に直接描いて切り抜いたり、概にある花器が印刷されたものを適切な大きさに拡大コピーしそれらを使い花器作成に使用する単色または混色の紙において切り抜き、切り抜いた紙をパステルなどの画材で立体的に見えるよう陰影をつけ、それに同形の半透明紙または和紙を重ね、模様となる押し花を付けて花器を具象化する。【０００５】  押し花絵画用材の花器は、台紙となるものに置いて押し花絵画作品とするが、花器に花を活けた描写の押し花絵画にもできる。また押し花を付けない花器に花を活けた描写の押し花絵画を制作することもできる。【０００６】  押し花絵画用材の花器は、花器の形の単色または混色の紙にパステル等で陰影や質感を描いたものの上に押し花を置き、その上に半透明紙および和紙を重ねた方法で作ることもできる。【０００７】  具象化するものは花器以外にも、ランプやランプシェードなどの形態にも応用できる。
【考案の効果】
【０００８】  本考案は押し花絵画作品の押し花絵画用材として、花器の形の単色または混色の紙に、パステルなどの画材で立体的に陰影をつけ同じ形の半透明紙または和紙を重ねそれらに模様となる押し花をつけて多様な質感と表情のある花器が表現でき、重ねた紙類によって、画材で陰影を付けて得られる以上に立体感が得られる。すなわちそれらを利用して描写方法の多様性を得られる。難しいと思われる花器の形も既存の花器が映し出されたものを利用することにより手軽に作製できる。
【図面の簡単な説明】
【０００９】
【図１】単色または混色の紙にパステルで陰影をつけた図である。
【図２】紙類を重ねた図である。
【図３】押し花絵画用材の平面図である。
【図４】（ａ）押し花絵画用材の側面を表した概念図である。（ｂ）押し花絵画用材と台紙を重ねたものの側面を表した概念図である。
【図５】押し花絵画用材を使用した押し花絵画作品の図である。
【図６】陰影をつけた紙に押し花を付けた押し花絵画用材の側面を表した概念図である。
【考案を実施するための形態】
【００１０】    花器の形の単色または混色の紙２に、パステルなどの画材で立体的に見えるように陰影をつけ、その上に紙と同形の半透明紙３を、ずれないよう接着剤を付けて重ねる。さらにその上に模様となる押し花４を置き接着剤で固定して作成したものが押し花絵画用材１となる。なお、半透明紙３の代わりに和紙を用いても良い。
【００１１】  押し花絵画用材１の花器を、押し花絵画の台紙５となるものにおき接着剤で固定し、それらを額縁に装着して押し花絵画作品６となる。
【００１２】  台紙５となるものに押し花絵画用材１の花器をおき、その花器に花を生けるように押し花をデザインする描写方法もある。
【００１３】  描写方法によっては、押し花を付けない押し花絵画用材１の花器を台紙となるものに置き、花を生けるように押し花をデザインすることもできる。
【００１４】  単色または多色の紙２に半透明紙３を重ねたうえからさらにパステルなどの画材で色を付けても良い。また花器以外にもランプなども作成でき、多様な描写表現が可能である。また、図６のように、半透明紙３と単色または混色の紙２との間に、押し花４を接着するようにしても良い。
【符号の説明】
【００１５】１、押し花絵画用材
２、単色または混色の紙
３、半透明紙または和紙
４、押し花
５、台紙
６、押し花絵画作品
【図１】
0003181147.tif 000003
【図２】
0003181147.tif 000004
【図３】
0003181147.tif 000005
【図４】
0003181147.tif 000006
【図５】
0003181147.tif 000007
【図６】
0003181147.tif 000008
【手続補正書】
【提出日】平成24年10月26日(2012.10.26)
【手続補正１】
【補正対象書類名】実用新案登録請求の範囲
【補正対象項目名】請求項２
【補正方法】変更
【補正の内容】
【請求項２】
台紙に請求項１に記載の押し花絵画用材を貼り付けた構造を持つことを特徴とする押し花絵画作品。
(57)【要約】      （修正有）【課題】歯科治療に伴う口腔内へのコップ等の給水による口腔内洗浄および、排唾液、嗽による排水を配管設備に接続せずに交換可能な容器に接続した給排水装置を提供する。【解決手段】鉢洗い部と、給水装置と、鉢洗い部または給水装置に排水管を通じて着脱可能に連結される容器とを備えて歯科用非配管型給排水装置を形成する。【選択図】図１
0003181881.tif 000002
【実用新案登録請求の範囲】
【請求項１】
歯科治療に伴う口腔内へのコップ等の給水による口腔内洗浄および、排唾液、嗽による排水を配管設備に接続せずに交換可能な容器に接続した給排水装置
【考案の詳細な説明】
【考案の詳細な説明】
【技術分野】
【０００１】この考案は、歯科治療に伴う口腔内へのコップ等の給水による口腔内洗浄および、排唾液、嗽による排水を配管設備に接続せずに交換可能な容器に接続した給排水装置に関するものである。
【背景技術】
【０００２】従来の歯科治療に伴う歯科治療台は配管を必要とし、治療用具が付属し歯科治療に伴う口腔内へのコップ等の給水による口腔内洗浄および、排唾液、嗽による排水が付随した給水コップと排水の鉢洗いでなされていた。【０００３】その内容については、装置がある。これらの装置の一部は下記に示す特許文献において紹介されている【０００４】
【特許文献１】  特開２００７−５４１５９公報
【考案が解決しようとする課題】
【０００５】現状において歯科医院で使用されている歯科診療台は配管を必要とし、治療用具が付属し歯科治療に伴う口腔内へのコップ等の給水による口腔内洗浄および排唾液、嗽による排水が付随した給水コップと排水の鉢洗いでなされている形態がある。
【０００６】しかしながら現状においての歯科医院で使用されている歯科診療台は配管を必要とし、治療用具が付属し歯科治療に伴う口腔内へのコップ等の給水による口腔内洗浄および排唾液、嗽による排水が付随した給水コップと排水の鉢洗いでなされている形態があり、配管設備、配管接続工事が必要であるということを課題とした。
【課題を解決するための手段】
【０００７】本考案は歯科治療に伴う口腔内へのコップ等の給水による口腔内洗浄および、排唾液、嗽による排水を配管設備を接続せずに交換可能な容器に接続した給排水装置を考えた。
【考案の効果】
【０００８】現状におけての歯科医院で使用されている歯科診療台は配管を必要とし、治療用具が付属し歯科治療に伴う口腔内へのコップ等の給水による口腔内洗浄および排唾液、嗽による排水が付随した給水コップと排水の鉢洗いでなされている形態であり、配管設備、配管接続工事が必要であったが、本考案の歯科治療に伴う口腔内へのコップ等の給水による口腔内洗浄および、排唾液、嗽による排水を配管設備を接続せずに交換可能な容器に接続した給排水装置により配管設備、配管接続工事が必要とせずに歯科治療時に必要な給排水を可能にした。
【考案を実施するための形態】
【０００９】以下、本考案の実施の形態について説明する。
（イ）、１．着脱可能な容器を２．鉢洗い部に固着させ３．給水装置
【図面の簡単な説明】
【図１】本考案の正面図である。
【図２】本考案の側面図である。
【図３】本考案の平面図である。
【符号の説明】１  着脱可能な容器
２  鉢洗い部
３  給水装置
【図１】
0003181881.tif 000003
【図２】
0003181881.tif 000004
【図３】
0003181881.tif 000005
【手続補正書】
【提出日】平成24年12月10日(2012.12.10)
【手続補正１】
【補正対象書類名】実用新案登録請求の範囲
【補正対象項目名】全文
【補正方法】変更
【補正の内容】
【実用新案登録請求の範囲】
【請求項１】
鉢洗い部と、給水装置と、鉢洗い部または給水装置に排水管を通じて着脱可能に連結される容器とを備えたことを特徴とする歯科用非配管型給排水装置。
(57)【要約】      （修正有）【課題】自動車の室内後写鏡に装着し、自動車運転中の視線移動が少ない位置に追加計器を配置させる計器台を提供する。【解決手段】自動車の室内後写鏡支柱にマウントブリッジ２とメインプレート３ラバーゴム４をマウントボルトを用いて挟み込む事により装着する計器台において、マウントブリッジの座繰り部寸法は室内後写鏡支柱の直径より２〜５ｍｍ程度大きくし、そのマウントブリッジ座繰り接触面と室内後写鏡の間に１〜２．５ｍｍ厚のラバーゴム４をはさみこんで装着する。メインプレート３の本体中心線上に１箇所、本体中心線を基準にした左右両翼８０〜９０ｍｍの範囲の等間隔に２箇所の合計３箇所に、ねじ加工された追加計器設置穴９が開けられており、ボルト、ナットを用いて追加計器１０が任意の角度で装着可能である。【選択図】図３
0003181888.tif 000002
【実用新案登録請求の範囲】
【請求項１】
（イ）自動車の室内後写鏡支柱（１）にマウントブリッジ（２）とメインプレート（３）ラバーゴム（４）をマウントボルト（５）を用いて挟み込む事により装着する計器台（６）において、マウントブリッジの座繰り部寸法（７）は室内後写鏡支柱（１）の直径より２〜５ｍｍ程度大きくし、装着時の震動軽減と装着部分のサイズ微調整を目的とし、そのマウントブリッジ座繰り接触面（８）と室内後写鏡の間に１〜２．５ｍｍ厚のラバーゴム（４）をはさみこんで装着。メインプレート（３）の本体中心線（１１）上に１箇所、本体中心線（１１）を基準にした左右両翼８０〜９０ｍｍの範囲の等間隔に２箇所の合計３箇所に、ねじ加工された追加計器設置穴（９）が開けられており、ボルト、ナットを用いて追加計器（１０）が任意の角度で装着可能。追加計器（１０）の個数に関わらず中心バランスを保つことが可能となっていることを特徴とする計器台。
【考案の詳細な説明】
【技術分野】
【０００１】本考案は、自動車の室内後写鏡に装着し、自動車運転中の視線移動が少ない位置に追加計器を配置させる計器台に関するものである。
【背景技術】
【０００２】従来、自動車における追加計器は、運転中にも視認が出来つつ、計器台の設計や設置においての手間や煩雑さが少ないダッシュボードの上や、窓枠に配置される事が多かった。
【考案の開示】
【考案が解決しようとする課題】
【０００３】これらには次の様な問題点があった。
（イ）ダッシュボード上や窓枠への追加計器設置においては、運転時において、計器視認      の為の視線移動量が多く、計器数値を瞬時に読み取りにくい等、視認性に問題があ      ることが多かった。
本考案はこれらの問題点を取り除く為になされたものである。
【課題を解決するための手段】
【０００４】（イ）自動車の室内後写鏡支柱（１）にマウントブリッジ（２）とメインプレート（３）      ラバーゴム（４）をマウントボルト（５）を用いて挟み込む事により装着する計器      台（６）。
（ロ）マウントブリッジの座繰り部寸法（７）は室内後写鏡支柱（１）の直径より２〜５      ｍｍ程度大きくし、装着時の震動軽減と装着部分のサイズ微調整を目的とし、その      マウントブリッジ座繰り接触面（８）と室内後写鏡の間に１〜２．５ｍｍ厚のラバ      ーゴム（４）をはさみこむ。
（ハ）メインプレート（３）には、ねじ加工された追加計器設置穴（９）が開けられてお      り、ボルト、ナットを用いて追加計器（１０）が任意の角度で装着出来るようにな      っている。
（ニ）追加計器設置穴（９）は、本体中心線（１１）上に１箇所、本体中心線（１１）を      基準にした左右両翼８０〜９０ｍｍの範囲の等間隔に２箇所の合計３箇所設定され      、追加計器（１０）の個数に関わらず中心バランスを保つことが可能となっている      。
【考案の効果】
【０００５】（イ）自動車の室内後写鏡支柱（１）にマウントブリッジ（２）とメインプレート（３）      ラバーゴム（４）をマウントボルト（５）を用いて挟み込む事により、運転中の追      加計器確認に際し視線移動が少ない、室内後写鏡（１２）の下部に追加計器装着後      計器台（１３）の設置が実現され、正確な追加計器視認が可能となる事が期待でき      る。
（ロ）マウントブリッジの座繰り部寸法（７）は室内後写鏡支柱（１）の直径より２〜５      ｍｍ程度大きくし、マウントブリッジ座繰り接触面（８）と室内後写鏡の間に１〜      ２．５ｍｍ厚のラバーゴム（４）をはさみこむ事により、後写鏡支柱（１）への装      着寸法微調整と、追加計器（１０）への震動が軽減され、追加計器（１０）の数値      の読みやすさと確実な装着状態が確保される事が期待できる。
（ハ）メインプレート（３）には、ねじ加工された追加計器設置穴（９）が開けられてお      り、ボルトナットを用いて追加計器（１０）が任意の角度で装着可能となる。
（ニ）追加計器設置穴（９）は、本体中心線（１１）上に１箇所、本体中心線（１１）を      基準にした左右両翼８０〜９０ｍｍの範囲の等間隔に２箇所の合計３箇所設定され      、追加計器（１０）の個数に関わらず中心バランスを保つことが可能となる。
【考案を実施するための最良の形態】
【０００６】以下本考案の実施例について説明する。
（イ）自動車の室内後写鏡支柱（１）にマウントブリッジ（２）とメインプレート（３）      ラバーゴム（４）をマウントボルト（５）を用いて挟み込む事により装着する計器      台（６）。
（ロ）マウントブリッジの座繰り部寸法（７）は室内後写鏡支柱（１）の直径より２〜５      ｍｍ程度大きくし、装着時の震動軽減と装着部分のサイズ微調整を目的とし、その      マウントブリッジ座繰り接触面（８）と室内後写鏡の間に１〜２．５ｍｍ厚のラバ      ーゴム（４）をはさみこむ。
（ハ）メインプレート（３）には、ねじ加工された追加計器設置穴（９）が開けられてお      り、ボルト、ナットを用いて追加計器（１０）が任意の角度で装着出来るようにな      っている。
（ニ）追加計器設置穴（９）は、本体中心線（１１）上に１箇所、本体中心線（１１）を      基準にした左右両翼８０〜９０ｍｍの範囲の等間隔に２箇所の合計３箇所設定され      、追加計器（１０）の個数に関わらず中心バランスを保つことが可能となっている      。
【図面の簡単な説明】
【０００７】
【図１】本考案の上方斜視図である。
【図２】本考案の下方写視図である。
【図３】本考案の後方斜視図である。
【図４】本考案の使用時前方斜視図である。
【符号の説明】
【０００８】１  室内後写鏡支柱
２  マウントブリッジ
３  メインプレート
４  ラバーゴム
５  マウントボルト
６  計器台
７  マウントブリッジ座繰り部寸法
８  マウントブリッジ座繰り接触面
９  追加計器設置穴
１０  追加計器
１１  本体中心線
１２  室内後写鏡
１３  追加計器装着後計器台
【図１】
0003181888.tif 000003
【図２】
0003181888.tif 000004
【図３】
0003181888.tif 000005
【図４】
0003181888.tif 000006
(57)【要約】      （修正有）【課題】印鑑を収納または持ち歩く際の印鑑ケース（袋）を不要とし、さらに印影が崩れることがなく、しっかりと力を入れて押印できる印鑑を提供する。【解決手段】印鑑の刻字面１８を印鑑と一体となったカバー１３で覆うことで、印鑑ケース（袋）を不要とする。カバー１３はヒンジ１５によって本体と連結されており、カバー１３の片側を印鑑本体から取り外し、印鑑上部に折り返して固定することによって、押印時の取っ手２１となる。カバー１３の固定は磁石等によって行われ、簡単に着脱可能とする。取っ手の形状は保持部分の上部が広がった形態として、指で保持したときに指の下側にスペースが発生しないようにし、押印時に指がずれることで印影が崩れるのを防止する。【選択図】図１
0003181837.tif 000002
【実用新案登録請求の範囲】
【請求項１】
刻字面のカバーを外し、そのカバーを裏返して固定することで、押印時に指で保持する為の取っ手とすることを特徴とする印鑑。
【請求項２】
カバーは印鑑本体とヒンジ等で連結されていることを特徴とする請求項１記載の印鑑
【請求項３】
カバーの固定に磁石を用いることを特徴とする請求項１記載の印鑑。
【請求項４】
上部側が太くなった取っ手の形状を特徴とする請求項１記載の印鑑。
【考案の詳細な説明】
【技術分野】
【０００１】
印鑑の形状に関する考案である。
【考案の概要】
【考案が解決しようとする課題】
【０００２】
現在市販されている印鑑は円筒形を基本とするものが多い。
このような形状の印鑑は、押印をする際の力の加減が難しく、印影が不完全になることや、ずれが発生することがある。
【０００３】
また、刻字面が露出している為、付着した朱墨によって衣服や他の所持品を汚さないようにする為には、持ち運びに際しては印鑑ケース（袋）に入れる等の対策が必要である。
【課題を解決するための手段】
【０００４】
印鑑の刻字面を印鑑と一体となったカバーで覆うことで、印鑑ケース（袋）を不要とする。
【０００５】
カバーはヒンジ等によって本体と連結されており、カバーの片側を印鑑本体から取り外し、印鑑上部に折り返して固定することによって、押印時の取っ手となる。（請求項１、２）
【０００６】
カバーの固定は磁石等によって行われ、簡単に着脱可能とする。（請求項３）
【０００７】
取っ手の形状は保持部分の上部が広がった形態として、指で保持したときに指の下側にスペースが発生しないようにし、押印時に指がずれることで印影が崩れるのを防止する。（請求項４）
【考案の効果】
【０００８】
爪を伸ばした女性や力の弱い人、不器用な人でも、しっかりと力を入れて押印でき、印影が崩れることを防止できる。
【０００９】
印鑑を収納または持ち歩く際の、印鑑ケース（袋）が不要となる。
【図面の簡単な説明】
【００１０】
【図１】本考案における印鑑の、カバーで刻字面を覆った形態と、カバーを開けて取っ手に変形させた形態を示す。
【実施例】
【００１１】
図１に、カバーと印鑑保持部を一方をヒンジで連結し、他方を磁石で固定する方式とした、本発明における印鑑の例を示す。
【００１２】
上の図は刻字面をカバーで覆った形態である。カバー１３は、180度ヒンジ１４、270度ヒンジ１５により印鑑本体１１に連結され、また、印鑑保持部１１のカバー固定部１７に、カバー固定磁石１６によって固定される。印鑑保持部１１の下部には印鑑部１２があり、下面が刻字面１８である。
【００１３】
下の図は印鑑使用時の形態である。カバー１３をカバー固定部１７から外し、180度ヒンジ１４、270度ヒンジ１５で折り曲げて、印鑑保持部１１の上部側に回す。上部側に回したカバーは、印鑑保持部１１と磁石で固定される。印鑑保持部１１上部側に固定したカバーの、180度ヒンジ１４部分で折り曲げた部分が、押印時の取っ手２１となる。
【００１４】
印鑑保持部１１がカバー固定磁石１６と接合する部分は、磁力によって固定する為に金属製とする必要がある。また、カバー１３を閉めた状態では、180度ヒンジの下から応力に構造的に弱くなる恐れがある。カバー１３およびカバー固定部１７は金属製にする等して、十分な強度を持つようにする必要がある。
【符号の説明】
【００１５】
１１  印鑑保持部
１２  印鑑部
１３  カバー
１４  180度ヒンジ
１５  270度ヒンジ
１６  カバー固定磁石
１７  カバー固定部
１８  刻字面
２１  取っ手
【図１】
0003181837.tif 000003
(57)【要約】      （修正有）【課題】激しいスポーツ等をしても、脱げたり、スリップしない履き物を提供する。【解決手段】草履１０の横緒３１，３２を底板１２に取り付ける主前緒５１以外に３個の副前緒５２，５３，５４を設ける。主前緒５１は親指８１と人指指８２の間に取り付ける。副前緒５２は親指８２の外側に取り付ける。副前緒５３は人指指８２と中指８３の間に取り付ける。副前緒５４は中指８３と薬指８４の間に取り付ける。このように４箇所で足の指を固定しているので、激しい運動をしても脱げることがない。【選択図】図４
0003181806.tif 000002
【実用新案登録請求の範囲】
【請求項１】
２本の横鼻緒が交わる先端に主前緒が取付けられた履き物であって、前記主前緒以外に
３本の副前緒を横鼻緒に取り付けたことを特徴とする履き物。
【請求項２】
一方の横鼻緒に１本の副前緒を、他方の横鼻緒に２本の副前緒を間隔を置いて取り付け
たことを特徴とする請求項１に記載の履き物。
【請求項３】
主前緒は親指と人差し指の間に、他の３本の前緒は人差し指と中指の間に、中指と薬指
の間に、親指の外側にそれぞれ位置するように取り付けられていることを特徴とする請求
項１に記載の履き物。
【請求項４】
上記３本の副前緒は横鼻緒にそれぞれ固着せずに若干移動できるように取り付けられて
いることを特徴とする請求項１に記載の履き物。
【考案の詳細な説明】
【技術分野】
【０００１】
本考案は、履き物に関し、具体的には鼻緒を有する下駄、草履またはサンダル等の履き
物に関する。
【背景技術】
【０００２】
従来の鼻緒を有する履き物は前緒を親指と人差し指の間で挟んで足先を固定している。
その形状では脱げやすいので、前緒を２本も設けたものが特開平９−１６４００５号公報
に記載されている。
【先行技術文献】
【特許文献】
【０００３】
【特許文献１】特開平９−１６４００５号公報
【考案の概要】
【考案が解決しようとする課題】
【０００４】
上記特許文献１の特開平９−１６４００５号公報に記載された履き物は足の親指と人差
し指、及び薬指と小指の間の２点に鼻緒部を設けたので、歩行中足と底板との回転やスリ
ップが生じない効果があるが、激しいスポーツ等をした場合、脱げたり、スリップする可
能性が有る。
【０００５】
本考案は、激しいスポーツ等をしても、脱げたり、スリップしない鼻緒を有する履き物
を提供することを目的とするものである。
【課題を解決するための手段】
【０００６】
本考案の履き物は、主前緒以外に３本の副前緒を横鼻緒に取り付けたことを特徴とする
。
すなわち、一方の横鼻緒に１本の副前緒を、他方の横鼻緒に２本の副前緒を間隔を置い
て取り付けたものである。
【０００７】
主前緒は親指と人差し指の間に、他の３本の前緒は人差し指と中指の間に、中指と薬指
の間に、親指の外側にそれぞれ位置するように取り付けられている。
【０００８】
上記３本の副前緒は横鼻緒にそれぞれ固着せずに若干移動できるように取り付けられて
いる。
【０００９】
本考案の履き物を製作するには、下駄の場合は、台板の先端に１つ、一方の横緒の前半分
の位置に間隔を置いて２つ、他方の横緒の前半分の位置に１つ計４個のすげ穴を削設する
。また、台板の後ろの方に、横緒の端部を挿入して固定するためのすげ穴を２個削設する
。２つ折りした長い横緒の先端に主前緒を捲回してその２つの自由端部を台板先端のすげ
穴に挿入し、台板の下面に突出した２つの自由端部を固結びにより結び目を作って主前緒
が抜けないようにする。この場合、台板と結び目の間に抜け止め具を介在されることによ
り、主前緒を横緒先端部に強固に取り付けることが出来る。
【００１０】
左足用の台板の場合は、右側の横緒の先端に近く１個の副前緒を取り付ける。左側の横緒
には先端に近く２個の副前緒を間隔を開けて取り付ける。副前緒の台板への取付方法は主
前緒と同様に台板に削設されたすげ穴に副前緒の２つの自由端を通して台板の下に突出し
た２つの自由端を固結びして結び目を作る。結び目を作る前に２つの自由端を抜け止め用
の金具を通して結び目を作れば、強固に副前緒を取り付けることが出来る。
【００１１】
右足用の台板の場合は、左足用の台板の副前緒の位置と左右対称になるように副横緒を取
り付ければよい。
【図面の簡単な説明】
【００１２】
【図１】本考案の履き物として下駄の例を示す斜面図。
【図２】抜け止め具の平面
【図３】前緒の取付け方を説明する断面図。
【図４】本考案の履き物として草履の例を示す平面図。
【考案を実施するための形態】
【００１３】
本考案の最良の実施形態を次の実施例によって説明する。
【実施例１】
【００１４】
この実施例の履き物は下駄の例を示すもので、図１に示すように、下駄１の台板２には
前緒用の４つのすげ穴４１，４２，４３，４４と鼻緒の自由端を固定するための２つのす
げ穴４５，４６が削設されている。鼻緒は長い鼻緒帯３をV字状に折り曲げ左右の横鼻緒
３１，３２とする。横鼻緒３１，３２の自由端はそれぞれすげ穴４５，４６に挿入され、
台板下面に突出した２つの先端を抜け止め具６の２つの孔６１，６２にそれぞれ通してか
ら結んで結び目７を作成する。
【００１５】
鼻緒の先端に架けた主前緒５１用の紐の２つの自由端は台板２の一番先端にあるすげ穴
４１に挿入され、台板２の下面に突出した２つの先端を抜け止め具６の２つの孔６１，６
２に挿入した後結んで結び目７を作る。同様に、右側の副前緒５２は右側のすげ穴４２に
左側の２つの副前緒５３，５４は左側の２つのすげ穴４３，４４にそれぞれ挿入され、主
前緒と同様に抜け止め具を介して結び目を作り台板２に取り付けられる。
副前緒５２，５３，５４の紐は横緒３１，３２に引架けただけで特に糸や接着剤等で固
定されていないので、副前緒５２，５３，５４は横緒３１，３２に対してそれぞれ多少横
に滑動できる用に取り付けられている。従って、足の大小や形が多少異なってもよく足指
にヒットするようにして履くことが出来る。なお、８１は前歯、８２は後歯である。
【実施例２】
【００１６】
実施例２は草履を対象として、４本の前緒を取り付けた例を示すものである。
すなわち、図４に示すように、草履１０の底板１２に４本の前緒、すなわち主前緒５１
，副前緒５２，５３，５４によって横緒３１，３２が取り付けられている。なお、４５，
４６は横緒の自由端を挿入するためのすげ孔である。
【００１７】
この草履を履いた場合の足指の位置が示めされている。
右側の横緒３１用の副前緒５２は親指８１の外側に位置している。主前緒５１は親指８
１と人差指８２の間に位置している。左側の横緒３２に取り付けられた副前緒５３は人差
し指８２と中指８３の間に位置している。
【００１８】
左側の横緒３２の２番目の副前緒５４は中指８３と薬指８４の間に位置している。
このように４カ所で足８の指を固定しているので、動きの速い運動をしても、履き物が
脱げたり、ずれたりすることを防止することが出来る。なお、８５は小指である。
【符号の説明】
【００１９】
１   下駄
２   台板
３   横緒
５１  主前緒
５２  副前緒
５３  副前緒
５４  副前緒
１０  草履
【図１】
0003181806.tif 000003
【図２】
0003181806.tif 000004
【図３】
0003181806.tif 000005
【図４】
0003181806.tif 000006
(57)【要約】      （修正有）【課題】高齢者の記憶力を鍛える遊具を提供する。【解決手段】正六面体の１面１色で６面を異なる色に塗り分けた駒３を１２個と、それを収納するケース本体１と、ケース本体１に取り付けた上蓋２とで構成され、かつケース本体１と上蓋２は駒が見えないように不透明に、ケース本体１の前面辺は駒巾内の大きさで１から１２までの番号を書いておく遊具。【選択図】図１
0003181891.tif 000002
【実用新案登録請求の範囲】
【請求項１】
正六面体の１面１色で６面を異なる色に塗り分けた駒３を１２個と、それを収納するケース本体１と、ケース本体１に取り付けた上蓋２とで構成され、かつケース本体１と上蓋２は駒が見えないように不透明に、ケース本体１の前面辺は駒巾内の大きさで１から１２までの番号を書いておく遊具。
【考案の詳細な説明】
【技術分野】
【０００１】  本考案は、遊びながら記憶力を鍛える主に高齢者を対象とした遊具である。
【背景技術】
【０００２】  記憶力が低下する高齢者向きの遊具で、遊びながら記憶力を鍛える正六面体の駒を使ったものはなかった。
【考案の概要】
【考案が解決しようとする課題】
【０００３】  本考案は、高齢者の記憶力を鍛える遊具を提供することが課題であった。
【課題を解決するための手段】
【０００４】  本考案が提供する遊具は、正六面体の１面１色で６面を異なる色に塗り分けた駒１２個と、それを収納するケース本体と、ケース本体内に取り付けた上蓋で構成され、かつケース本体と上蓋は駒が見えないよう不透明に、ケース本体の前面辺は駒巾内の大きさで１から１２までの番号を書いておく遊具。
【考案の効果】
【０００５】  本考案は、遊びながら記憶力を鍛えることができる遊具である。
【図面の簡単な説明】
【０００６】
【図１】実施例の遊具の斜視図（上蓋を開けた図）
【図２】図１の駒の斜視図（拡大図）
【考案を実施するための形態】
【０００７】  約１ｃｍ３の正六面体の１面１色で６面を６色（例  赤・青・緑・黄・白・紫の６色）に塗り分けた駒を１２個とそれを収納するケース本体と、それに取り付けた上蓋で構成された遊具。ケース本体と上蓋は駒が見えないよう不透明にする。また、ケース本体の前面辺は駒巾内の大きさで１から１２までの番号を書いておく。遊具としてはこの考案品を２組使うことによって機能できる。その仕組みは初めに１組のケース本体内に駒上面の色・配列を考えながら駒を収納する。その後、収納した駒上面の色・配列をケース本体前面辺に書いてある番号を基にして記憶し、上蓋を閉じる。次に２組目の別ケース本体内に別の駒を使いその記憶を戻しながら、１組目の駒と同じ上面の色・配列に収納していく。
【実施例】
【０００８】  添付図面に従って一実施例を説明する。木材等素材の正六面体駒３を１２個、プラスチック等の素材で収納した駒が見えないよう不透明にした１組目のケース本体１に、駒上面の色と配列を考えながら収納する。収納後その駒３の上面の色・配列を記憶する。記憶したらそのケース本体１に取り付けてある不透明な素材でできた上蓋２を閉める。収納した駒３上面の色と配列を記憶するためには、ケース本体前面辺に書かれた番号を基にする。
その後、２組目のケース本体１内に別の駒３を使い、先に記憶した駒上面の色・配列の記憶を戻しながら同じように収納していく。収納したら１組目のケース本体１の上蓋２を開けて、２組目のケース本体内１に収納した駒３上面の色・配列が同じように出来ているかどうかチェックする。この遊びをしながら記憶力を鍛えることができる。
【符号の説明】
【０００９】  １  ケース本体
２  ケース本体に取り付けた上蓋
３  駒
【図１】
0003181891.tif 000003
【図２】
0003181891.tif 000004
(57)【要約】      （修正有）【課題】パソコン等の卓上作業用のパームレストにおいて、手の稼動部位を拘束することなく手首に装着することができるパームレストを提供する。【解決手段】保護部１は、手首又は掌を保護できる大きさ及び形状とする。保護部１の材質は、ゴム・スポンジ・発泡樹脂・わた・布等の一般的な緩衝材または保温材でよい。保護部１の中心から、装着時における腕方向にオフセットした位置に、リストバンド部３を結合することにより、装着時にリストバンド部３が親指の付け根部位を拘束しないようにする。人間の手の大きさを考慮すれば、このオフセット長さ（保護部１の手指方向への突出長さ）は２ｃｍから８ｃｍの範囲が適当である。保護部１は、布で覆ってリストバンド部３に縫製付着する。また、着脱部２は、面ファスナーを縫製付着する。【選択図】図１
0003181898.tif 000002
【実用新案登録請求の範囲】
【請求項１】
パソコン等の卓上作業に使用するパームレストにおいて、保護部の中心からオフセットした位置にリストバンド部を備えたことを特徴とするパームレスト。
【考案の詳細な説明】
【技術分野】
【０００１】  本考案は、パームレストに関するものである。
【背景技術】
【０００２】  パソコン等の卓上作業において、手首又は掌の卓面に接触する部分を圧迫、衝撃、摩擦又は冷えから保護するために、従来からパームレストが用いられている。従来のパームレストは、卓上に設置して、その上に手首又は掌を乗せて使用していた。【０００３】  また、卓上に設置せず手に装着するパームレストの技術として、実用新案登録３０７４４９２号の考案がある。
【考案の開示】
【考案が解決しようとする課題】
【０００４】  しかし、上記従来技術のうち、卓上に設置して使用するパームレストでは、パソコン等の作業中に手を動かすと、常に手首又は掌の最適位置を保護できるとは限らないという問題があった。また、ある程度の手の移動範囲をカバーするためにパームレストを大型にせざるを得ず、かさばるという問題があった。【０００５】  上記従来技術のうち、実用新案登録３０７４４９２号のパームレストでは、卓上作業中の手の稼動部位、特に親指の付け根部位を拘束するため、手の稼動性が低下するという問題があった。また、多少の緩みを持たせたリストバンドの構造であるため、手の作業中に装着位置がずれる問題があった。
【課題を解決するための手段】
【０００６】  本考案は上記課題を解決することを目的とし、パームレストに、その中心からオフセットした位置にリストバンド部を設け、手の稼動性を損ねることなく手首にしっかりと装着することができるようにしたことを特徴とする（図１）。
【考案の効果】
【０００７】  本考案のパームレストは手首のみを拘束する方法で手に装着する形状であるため、親指の付け根等を拘束せず、かつしっかりと装着することができる。その結果、パソコン等の卓上作業中に手を動かしても、手の稼動性を損ねることなく、常に手首又は掌の最適位置を保護することができる。また、保護部が手首又は掌程度の大きさがあればよいため、パームレストを小型にすることができる。
【考案を実施するための最良の形態】
【０００８】  図１乃至図３は、本考案の実施の形態の一実施例を示すものであって、図１は本考案に係るパームレストの上面図、図２は本考案に係るパームレストを手首に装着した状態の上面図、図３は本考案に係るパームレストを手首に装着した状態の底面図である。図４は本考案に係るパームレストの別の実施例の上面図である。【０００９】  図１において、保護部１は、手首又は掌を保護できる大きさ及び形状であればよく、図１の形状等に限定するものではない。保護部１の材質は、ゴム・スポンジ・発泡樹脂・わた・布等の一般的な緩衝材または保温材でよい。保護部１の中心から、装着時における腕方向にオフセットした位置に、リストバンド部３を結合することにより、装着時にリストバンド部３が親指の付け根部位を拘束しないようにする。人間の手の大きさを考慮すれば、このオフセット長さ（保護部１の手指方向への突出長さ）は２ｃｍから８ｃｍの範囲が適当であるが、この範囲に限定するものではない。保護部１は、布で覆ってリストバンド部３に縫製付着してもよいし、接着剤等を用いてリストバンド部３に直接接着してもよい。２箇所の着脱部２は、一般的なマジックテープを、リストバンド部３に縫製付着してもよいし、接着剤等を用いてリストバンド部３に直接接着してもよい。２箇所の着脱部２は、マジックテープに限らず、繰り返し互いに着脱できる部材であれば何でもよい。又は着脱部２を用いずに、リストバンド部３を伸縮性のあるリング状部材にしてもよい（図４）。リストバンド部３は、布・革・ゴム等の一般的なベルト部材でよい。リストバンド部３は、手首に巻くために適当な長さであればよい。リストバンド部３は、手首に巻くことができる形状であればよく、図１に示すように横一文字の形状でもよいし、八の字の形状や弧の形状等でもよい。【００１０】  図２及び図３に示すように、保護部１を手首又は掌の卓上に接する位置に当てて、リストバンド部３を手首に巻いて装着することにより、パソコン等の卓上作業中に、卓面からの圧迫、衝撃、摩擦又は冷えから手首又は掌を保護することができる。【００１１】  なお、リストバンド部３に、手の甲（人差し指付け根から小指付け根の間の領域）を覆う防寒部材を結合することにより、手の稼動性を確保したまま手の甲の防寒機能を持たせることもできる。
【図面の簡単な説明】
【００１２】
【図１】  本考案に係るパームレストの上面図である。
【図２】  本考案に係るパームレストを手首に装着した状態の上面図である。
【図３】  本考案に係るパームレストを手首に装着した状態の底面図である。
【図４】  本考案に係るパームレストの別の実施例の上面図である。
【符号の説明】
【００１３】      １      保護部
２      着脱部
３      リストバンド部
【図１】
0003181898.tif 000003
【図２】
0003181898.tif 000004
【図３】
0003181898.tif 000005
【図４】
0003181898.tif 000006
【手続補正書】
【提出日】平成24年12月17日(2012.12.17)
【手続補正１】
【補正対象書類名】実用新案登録請求の範囲
【補正対象項目名】請求項１
【補正方法】変更
【補正の内容】
【請求項１】
パソコン等の卓上作業に使用するパームレストにおいて、リストバンド部を備え、保護部の手指方向端がリストバンド部の手指方向端から突出し、リストバンド部の腕方向端が保護部の腕方向端よりも延伸していることを特徴とするパームレスト。